(57)【特許請求の範囲】
【請求項１】
ポストあるいはパネル壁と、横ビームで形成された開口部に設け、該開口部を形成する横ビームに沿ってレールを取付け、複数のパネル体をそれぞれ連結杆を介して屈曲可能に連結するとともに、戸尻側のパネル体の上下端部を固定回動軸にて回動可能に支持し、他のパネル体の上端を前記レールに沿って転動する吊支体の鉛直な吊支軸で回動可能に吊支してなる折戸装置であって、前記連結杆の上下端面に略同外形のプレートを介在させて上下部に対となった連動部材をそれぞれ鉛直な回動軸にて回動可能に取付け、該連動部材には側部に前記パネル体への取付部を形成するとともに、該取付部と反対側の半円筒状の外側面に歯車部を突設し、左右に対向する二対の連動部材の歯車部同士を噛合させて、前記連結杆に対して両連動部材がそれぞれの回転軸を中心に同調して等角に回動する構造の等角ヒンジを形成し、前記プレートと連動部材との間に少なくとも各パネル体が直線状になったときに係合するボールキャッチ構造を設け、該ボールキャッチ構造は、前記回動軸の近傍で前記プレートに埋設したボールプランジャと、前記連動部材の下面に形成した凹部とから構成され、更に前記連動部材の下面には、前記プレートから突出した前記ボールプランジャの本体部を逃がす円弧状の円弧溝を形成し、該円弧溝内に前記凹部を形成してなることを特徴とする折戸装置。
【請求項２】
前記連結杆は二つの円筒部を中央部で連続した断面略８字形であり、該連結杆の上下端面に略同外形の金属プレートを介在させて各円筒部の上下部にそれぞれ連動部材を鉛直な回動軸にて回動可能に取付けてなる請求項１記載の折戸装置。
【請求項３】
前記連結杆の各円筒部の側面に、各パネル体が直線状になったときにパネル体の縦枠の一部に当接する突条を形成してなる請求項１又は２記載の折戸装置。
【発明の詳細な説明】
【技術分野】
【０００１】
本発明は、折戸装置に係わり、更に詳しくは空間を演出し、あるいは空間を仕切るための設備を構成するポストあるいはパネル壁と、横ビームで形成された開口部に設ける折戸装置に関するものである。
【背景技術】
【０００２】
従来から間仕切壁の開口部に設ける折戸は各種提供されている。このような折戸は、開口部の上部に位置する横ビームや横枠にレールを取付け、該レールに転動する車輪を備えた吊支部材で折戸を構成する各パネル体を垂直な吊支軸に対して回動可能に支持し、隣接するパネル体はヒンジ機構にてジグザグに屈曲可能に連結された構造が一般的である。
【０００３】
特許文献１には、戸先側パネルと戸尻側パネルの対向する端部にそれぞれ目地部材を取付け、両目地部材の間に断面略８字形の閉塞部材を配置し、該閉塞部材の上下端に等角ヒンジを取付け、該等角ヒンジの本体部の二つの可動中心に対してそれぞれ回動するウイングを対応するパネルの上端部に固定し、戸先側パネルと戸尻側パネルが閉塞部材に対して等角に屈曲する構造の折戸装置が開示されている。隣接するパネルの屈曲部に前記閉塞部材を介在させることによって、両パネルが完全に平行になるまで折り畳むことが可能である。
【０００４】
前記等角ヒンジは、ユニット化され、小さな本体部の内部に歯車が組み込まれ、二枚のウイングがそれぞれの回転軸を中心に同調して回動するようになっている。しかし、前記等角ヒンジは、耐久性が要求される精密部品で高価なものであるので、コスト高となる傾向がある。また、前記等角ヒンジの本体部の各回転軸に、回転角度を制限するストッパーが内蔵されているものもあるが、一旦直線状になってもキックバックにより若干屈曲状態に戻るといった現象が生じ、隣接するパネルを確実に直線状に維持することができなかった。
【先行技術文献】
【特許文献】
【０００５】
【特許文献１】特開２００８−０２５２８０号公報
【発明の概要】
【発明が解決しようとする課題】
【０００６】
そこで、本発明が前述の状況に鑑み、解決しようとするところは、空間を演出し、あるいは空間を仕切るための設備を構成するポストあるいはパネル壁と、横ビームで形成された開口部に設ける折戸装置において、簡単な構成で隣接する二枚のパネル体が等角回動可能であるとともに、閉止時に直線状に維持することができて外観性の向上が図れ、コスト低減化が可能な折戸装置を提供する点にある。
【課題を解決するための手段】
【０００７】
本発明は、前述の課題解決のために、ポストあるいはパネル壁と、横ビームで形成された開口部に設け、該開口部を形成する横ビームに沿ってレールを取付け、複数のパネル体をそれぞれ連結杆を介して屈曲可能に連結するとともに、戸尻側のパネル体の上下端部を固定回動軸にて回動可能に支持し、他のパネル体の上端を前記レールに沿って転動する吊支体の鉛直な吊支軸で回動可能に吊支してなる折戸装置であって、前記連結杆の上下端面に略同外形のプレートを介在させて上下部に対となった連動部材をそれぞれ鉛直な回動軸にて回動可能に取付け、該連動部材には側部に前記パネル体への取付部を形成するとともに、該取付部と反対側の半円筒状の外側面に歯車部を突設し、左右に対向する二対の連動部材の歯車部同士を噛合させて、前記連結杆に対して両連動部材がそれぞれの回転軸を中心に同調して等角に回動する構造の等角ヒンジを形成し、前記プレートと連動部材との間に少なくとも各パネル体が直線状になったときに係合するボールキャッチ構造を設け、該ボールキャッチ構造は、前記回動軸の近傍で前記プレートに埋設したボールプランジャと、前記連動部材の下面に形成した凹部とから構成され、更に前記連動部材の下面には、前記プレートから突出した前記ボールプランジャの本体部を逃がす円弧状の円弧溝を形成し、該円弧溝内に前記凹部を形成してなることを特徴とする折戸装置を構成した（請求項１）。
【０００８】
ここで、前記連結杆は二つの円筒部を中央部で連続した断面略８字形であり、該連結杆の上下端面に略同外形の金属プレートを介在させて各円筒部の上下部にそれぞれ連動部材を鉛直な回動軸にて回動可能に取付けてなることが好ましい（請求項２）。
【０００９】
更に、前記連結杆の各円筒部の側面に、各パネル体が直線状になったときにパネル体の縦枠の一部に当接する突条を形成してなることがより好ましい（請求項３）。
【発明の効果】
【００１０】
以上にしてなる請求項１に係る発明の折戸装置は、ポストあるいはパネル壁と、横ビームで形成された開口部に設け、該開口部を形成する横ビームに沿ってレールを取付け、複数のパネル体をそれぞれ連結杆を介して屈曲可能に連結するとともに、戸尻側のパネル体の上下端部を固定回動軸にて回動可能に支持し、他のパネル体の上端を前記レールに沿って転動する吊支体の鉛直な吊支軸で回動可能に吊支してなる折戸装置であって、前記連結杆の上下端面に略同外形のプレートを介在させて上下部に対となった連動部材をそれぞれ鉛直な回動軸にて回動可能に取付け、該連動部材には側部に前記パネル体への取付部を形成するとともに、該取付部と反対側の半円筒状の外側面に歯車部を突設し、左右に対向する二対の連動部材の歯車部同士を噛合させて、前記連結杆に対して両連動部材がそれぞれの回転軸を中心に同調して等角に回動する構造の等角ヒンジを形成し、前記プレートと連動部材との間に少なくとも各パネル体が直線状になったときに係合するボールキャッチ構造を設け、該ボールキャッチ構造は、前記回動軸の近傍で前記プレートに埋設したボールプランジャと、前記連動部材の下面に形成した凹部とから構成され、更に前記連動部材の下面には、前記プレートから突出した前記ボールプランジャの本体部を逃がす円弧状の円弧溝を形成し、該円弧溝内に前記凹部を形成してなるので、折戸を構成する各パネル体が直線状になったときにボールキャッチ構造によって位置決めされた状態を安定に維持することができ、また前記連結杆の上下端面にボールキャッチ構造を設けたプレートを介在させ、対となった連動部材をそれぞれ鉛直な回動軸にて回動可能に取付けると、左右に対向する二対の連動部材の歯車部が噛合して、自動的に等角ヒンジを構成することができ、そして連結杆に連動部材を組み付けたユニットを用意しておけば、施工現場で各連動部材の取付部をパネル体の端部に取付けることにより、折戸組体を簡単に組立てることができ、施工性に優れ、コスト低減化も達成できる。また、既製のボールプランジャの鍔付きの本体部を、プレートの孔に挿入するだけで埋設することができ、連動部材を連結杆にプレートを介在させて回動軸にて回動可能に組み付けるだけで、連動部材の凹部とで簡単にボールキャッチを構成でき、更にボールプランジャの本体部の一部が連動部材の円弧溝内を移動するので、案内ガイドの機能も有している。
【００１１】
請求項２によれば、前記連結杆は二つの円筒部を中央部で連続した断面略８字形であり、該連結杆の上下端面に略同外形の金属プレートを介在させて各円筒部の上下部にそれぞれ連動部材を鉛直な回動軸にて回動可能に取付けてなるので、パネル体は連結杆に対して円筒部に沿って９０度屈曲可能となり、従って隣接するパネル体は１８０度の屈曲が可能となり、完全に平行に折り畳んだ状態を実現でき、また摺動部に金属プレートを介在させることにより、連動部材を合成樹脂で成形しても耐久性に問題がなく、前述のボールキャッチ構造も強度的な不安がなくなる。
【００１２】
請求項３によれば、前記連結杆の各円筒部の側面に、各パネル体が直線状になったときにパネル体の縦枠の一部に当接する突条を形成してなるので、開口部を閉止して各パネル体が直線状になったときに、連結杆の突条が対応するパネル体の縦枠の一部に当接するので、それ以上の回動を確実に制限することができる。
【図面の簡単な説明】
【００１３】
【図１】本発明に係る折戸装置の正面図である。
【図２】同じく省略平面図であり、（ａ）はパネル体を直線状として開口部を閉止した状態の平面図、（ｂ）パネル体を折り畳んで開口部を開放した状態の平面図である。
【図３】戸先側のパネル体の部分正面図である。
【図４】中間のパネル体の部分正面図である。
【図５】レールにパネル体を移動可能に吊支した状態を示し、（ａ）は戸先側のパネル体の吊支構造を示す部分断面図、（ｂ）は中間のパネル体の吊支構造を示す部分断面図である。
【図６】隣接するパネル体の連結部の構造を示し、直線状になったときの部分平面図である。
【図７】隣接するパネル体の連結部の構造を示し、折り畳んだ状態になったときの部分平面図である。
【図８】パネル体の縦枠と連結杆の関係を示す横断面図である。
【図９】連結杆の上下部に４つの連動部材を組み付けたユニットを示す一部縦断面で示した省略正面図である。
【図１０】隣接するパネル体を連結杆を介して回動可能に連結した状態の部分縦断面図である。
【図１１】連動部材を示し、（ａ）は平面図、（ｂ）は正面図、（ｃ）は底面図、（ｄ）は縦断面図、（ｅ）は斜視図である。
【図１２】金属プレートと連動部材との関係を示す分解斜視図である。
【発明を実施するための形態】
【００１４】
次に、添付図面に示した実施形態に基づき、本発明を更に詳細に説明する。図１〜図４は本発明に係る折戸装置を示し、図中符号１はポスト、２は横ビーム、３はレール、４は戸尻側パネル体、５は戸先側パネル体、６は中間パネル体、７は連結杆、８は連動部材をそれぞれ示している。
【００１５】
本発明に係る折戸装置は、ポスト１と横ビーム２を組み合わせて空間を演出するゾーニング什器に適用することを第１の目的とし、ポスト１あるいはパネル壁（図示せず）と、横ビーム２で形成された開口部に設けるが、開口部が存在する任意の場所に後施工によって簡単に設置できるものである。
【００１６】
本発明に係る折戸装置は、空間を演出し、あるいは空間を仕切るための設備を構成するポストあるいはパネル壁と、横ビームで形成された開口部に設け、該開口部を形成する横ビーム２に沿ってレール３を取付け、複数のパネル体４，５，６をそれぞれ連結杆７を介して屈曲可能に連結するとともに、戸尻側のパネル体４の上下端部を固定回動軸９，９にて回動可能に支持し、他のパネル体５，６の上端を前記レール３に沿って転動する吊支体１０，１１の鉛直な吊支軸１２，１３で回動可能に吊支し、前記連結杆７の上下部に鉛直な回転軸にて回動可能に取付けた二対の連動部材８，…をそれぞれ対応するパネル体４，５，６の上下端部に取付け、左右に対向する二対の連動部材８，８が噛合することで、前記連結杆７に対して両連動部材８，８がそれぞれの回転軸を中心に同調して等角に回動する構造の等角ヒンジを形成することを基本構成としている。
【００１７】
前記レール３は、図５に示すように、下方へ開口溝１４を設けた断面略Ｃ字形であり、該開口溝１４を形成する走行縁１５，１５を対称に有している。そして、前記戸先側パネル体５を前記レール３に吊支する前記吊支体１０は、図３及び図５（ａ）に示すように、開閉の円滑性を追及して本実施形態で鉛直な吊支軸１２の上端部に該軸を中心に回動可能な転動輪１６を前記走行縁１５，１５に係止するように設けたものであり、開閉時には前記転動輪１６が前記レール３の側壁面１７を転動する。一方、中間パネル体６を前記レール３に吊支する前記吊支体１１は、図４及び図５（ｂ）に示すように、前記吊支軸１３の上端部に該軸を中心に回動可能に設けた走行体１８の両側に前記走行縁１５，１５上を転動する車輪１９，…を複数設けたものである。
【００１８】
図２に示すように、前記中間パネル体６の横幅が最も広く、次に戸先側パネル体５が広く、戸尻側パネル体４が最も狭く設定され、図２（ｂ）に示すように、各パネル体が平行になるように折り畳んで最も開放した際に、前記固定回動軸９、吊支体１０の吊支軸１２及び吊支体１１の吊支軸１３が一直線上になるように各パネル体に対する位置が規定される。
【００１９】
前記各パネル体４，５，６は、横幅が異なる以外は同じ構造であり、両側の縦枠２０，２０の上下端に横枠２１，２１を、横枠勝ちに設けてフレーム形成し、そのフレームの内方にパネル板２２を保持している。前記縦枠２０と横枠２１はアルミ押出し型材であり、両側の上下端部には両横枠２１，２１の端部が露出している。この横枠２１，２１の端部には、前記連動部材８，…が取付けられる。
【００２０】
図８には、前記連結杆７と縦枠２０の断面形状と位置関係を示している。前記連結杆７のアルミ押出し型材で形成し、二つの円筒部２３，２３を中央部で連続した断面略８字形である。前記連結杆７の各円筒部２３，２３の側面に、各パネル体４，５，６が直線状になったときにパネル体４，５，６の縦枠２０の一部に当接する突条２４を形成している。一方、前記縦枠２０は、前記連結杆７の一方の円筒部２３を受け入れる縦溝２５を外側面に形成し、該縦溝２５の両側のリップ部２６，２６が前記円筒部２３に僅かなクリアランスを設けて常に接近し、光漏れを防ぐとともに、指詰めを防止している。また、前記各パネル体４，５，６が直線状になったときに前記連結杆７の突条２４が一方のリップ部２６に当接するようにしている。前記連結杆７の円筒部２３の中心に対して前記縦枠２０が９０度回転できるように中央部の首部２７は細くなっている。
【００２１】
また、前記縦枠２０の上下端に前記横枠２１の端部を接合した状態でネジ止め連結する。前記横枠２１は、図５に示すように、断面略四角形であり、上部のものにあっては、上面に凹溝２８を有し、内部の下方両側に係合部２９，２９を有している。下部の横枠２１は、上部の横枠２１を上下反転したものである。そして、前記連結杆７は、各円筒部２３，２３の中心に断面Ｃ字形の螺合部３０を設け、後述の連動部材８を回動可能に取付けることができるようにしている。
【００２２】
そして、本発明は、図６、図９及び図１０に示すように、前記連結杆７の上下端面に略同外形の金属プレート３１を介在させて各円筒部２３，２３の上下部にそれぞれ連動部材８，８を鉛直な回動軸３２，３２にて回動可能に取付け、該連動部材８には側部に前記パネル体４，５，６への取付部３３を形成するとともに、該取付部３３と反対側の半円筒状の外側面に歯車部３４を突設し、左右に対向する二対の連動部材８，８の歯車部３４，３４同士を噛合させて等角ヒンジを形成している。更に、前記金属プレート３１と連動部材８との間に少なくとも各パネル体４，５，６が直線状になったときに係合するボールキャッチ構造３５を設けている。また、前記金属プレート３１の代わりに樹脂プレートを用いることも可能である。
【００２３】
更に詳しくは、前記連動部材８は、図１１及び図１２に示すように、合成樹脂製の一体成形品であり、全て同一部材を用いている。前記連動部材８は、平面視半円柱状の本体部の中心に上下に貫通した軸孔３６を形成し、側面に前記取付部３３として上端部に前記横枠２１の凹溝２８に嵌合する嵌合片３３Ａを突設するとともに、下方の両側に前記係合部２９，２９に係合する係合片３３Ｂ，３３Ｂを突設し、更にその反対側の円柱面の下部半分に前記歯車部３４を突設している。前記歯車部３４は、左右反転させた他の連動部材８の歯車部３４と互いに噛合するように中心線に対して非対称形とし、その他の部分は中心線に対して対称形としている。また、前記連動部材８の下面には、前記軸孔３６を中心として円弧状の円弧溝３７を形成するとともに、前記ボールキャッチ構造３５を構成する凹部３８を中心線上に形成し、更に該凹部３８から９０度の回転角度の位置にやや長形の凹部３９，３９を形成している。ここで、本実施形態では、二つの前記凹部３９，３９を設けたが、実際に使用するのは一方のみである。これは、前記連動部材８は、反転して使用するので、中心線に対して対称に成形する必要があるためである。
【００２４】
前記金属プレート３１は、図１２に示すように、平面視８字形であり、前記連結杆７の断面外形状と同一である。前記金属プレート３１の前記連結杆７の円筒部２３に対応する円板部４０，４０の中心に円孔４１，４１をそれぞれ形成するとともに、両円孔４１，４１の中心を結ぶ位置の円板部４０，４０には前記ボールキャッチ構造３５を構成するボールプランジャ４２，４２を埋設している。これは、前記金属プレート３１の所定位置に孔を形成し、ボールプランジャ４２の鍔付きの本体部４３を挿入するだけで良い。
【００２５】
そして、前記連動部材８を前記連結杆７の端部に前記金属プレート３１を介して鉛直な回動軸３２にて回動可能に取付けるには、図９〜図１１に示すように、前記連動部材８の軸孔３６に該軸孔３６の深さよりも若干長い円筒状のスリーブ４４を遊挿するとともに、該スリーブ４４を貫通させた連結ボルト４５を、前記連結杆７の端部に重ねた前記金属プレート３１の円孔４１を通して連結杆７の螺合部３０に螺合し、前記スリーブ４４を強固に固定する。前記スリーブ４４と連結ボルト４５とで前記回動軸３２を構成している。前記連結杆７の上下端部に前記金属プレート３１を介して４つの前記連動部材８を回動可能に取付ける際に、左右に隣接する二対の連動部材８，８の歯車部３４，３４は自動的に噛合するが、前記ボールプランジャ４２が凹部３８に係合するように、全ての連動部材８の回転角度を初期設定する。
【００２６】
図９は、前記連結杆７に金属プレート３１と連動部材８を組み付けて完成した回動ユニットを示している。この状態で工場出荷されるので、現場の作業は、図６及び図１０に示すように、このユニットの各連動部材８の取付部３３を前記各パネル体４，５，６の横枠２１の端部に嵌合し、上下から固定ネジ４６で連結するだけで簡単に折戸本体を組立てることができる。また、前記戸先側パネル体５の戸先端の縦枠２０の外側面には、前記連動部材８，８を用いて戸当り部材４７を上下の横桟２１，２１の端部に取付けている。
【００２７】
そして、このように構成した本発明の折戸装置は、開口部を閉止時に各パネル体４，５，６がレール３に沿って直線状になったときに、各ボールプランジャ４２が凹部３８に係合してその状態を安定に維持するのである。また、各パネル体４，５，６を折り畳んで前記レール３に直交するように開放したときに、前記ボールプランジャ４２が一方の凹部３９に係合してその状態を安定に維持するのである。また、各パネル体４．５．６の屈曲、伸展時に、各連動部材８は前記回動軸３２を中心に連結杆７の円筒部２３に対して回動するが、金属プレート３１から突出したボールプランジャ４２の本体部４３の突出部が前記円弧溝３７内で移動するので、回動案内機能も有している。
【符号の説明】
【００２８】
１  ポスト、                ２  横ビーム、
３  レール、                ４  戸尻側パネル体、
５  戸先側パネル体、        ６  中間パネル体、
７  連結杆、                ８  連動部材、
９  固定回動軸、            １０  吊支体、
１１  吊支体、              １２  吊支軸、
１３  吊支軸、              １４  開口溝、
１５  走行縁、              １６  転動輪、
１７  側壁面、              １８  走行体、
１９  車輪、                ２０  縦枠、
２１  横枠、                ２２  パネル板、
２３  円筒部、              ２４  突条、
２５  縦溝、                ２６  リップ部、
２７  首部、                ２８  凹溝、
２９  係合部、              ３０  螺合部、
３１  金属プレート、        ３２  回動軸、
３３  取付部、              ３３Ａ  嵌合片、
３３Ｂ  係合片、            ３４  歯車部、
３５  ボールキャッチ構造、  ３６  軸孔、
３７  円弧溝、              ３８  凹部、
３９  凹部、                ４０  円板部、
４１  円孔、                ４２  ボールプランジャ、
４３  本体部、              ４４  スリーブ、
４５  連結ボルト、          ４６  固定ネジ、
４７  戸当り部材。
【図１】
0005953728.tif 000002
【図２】
0005953728.tif 000003
【図３】
0005953728.tif 000004
【図４】
0005953728.tif 000005
【図５】
0005953728.tif 000006
【図６】
0005953728.tif 000007
【図７】
0005953728.tif 000008
【図８】
0005953728.tif 000009
【図９】
0005953728.tif 000010
【図１０】
0005953728.tif 000011
【図１１】
0005953728.tif 000012
【図１２】
0005953728.tif 000013